(57)【特許請求の範囲】
【請求項１】
アプリケーションに対するポイント値を記憶するアプリ情報記憶手段と、
前記アプリケーションを紹介するアプリ紹介情報をユーザ端末に送信する紹介手段と、
前記ユーザ端末により第一のアプリケーションが実行され、前記第一のアプリケーションにおいて前記アプリ紹介情報に基づいた第二のアプリケーションの紹介処理が実施された旨のアクションを特定するアクション特定手段と、
第三のアプリケーションの販売促進処理を実施する旨の販促要求を取得する販促要求取得手段と、
前記アクションの特定により、前記ユーザ端末において実行された前記第一のアプリケーションに対応した前記ポイント値を加算し、前記販促要求の取得により、前記販促要求の対象である前記第三のアプリケーションに対応した前記ポイント値を減算するポイント変更手段と、を具備し、
前記紹介手段は、前記販促要求に対応した前記第三のアプリケーションを紹介する前記アプリ紹介情報を優先的に前記ユーザ端末に送信する
ことを特徴とするアプリケーション販促装置。
【請求項２】
請求項１に記載のアプリケーション販促装置において、
前記紹介手段は、前記販促要求に対応した前記第三のアプリケーションを紹介する前記アプリ紹介情報を前記ユーザ端末に送信する送信頻度を、他のアプリケーションを紹介する前記アプリ紹介情報を前記ユーザ端末に送信する送信頻度よりも大きくする
ことを特徴とするアプリケーション販促装置。
【請求項３】
請求項２に記載のアプリケーション販促装置において、
前記紹介手段は、複数の前記アプリケーションを選出し、前記販促要求に対応した前記第三のアプリケーションの選出比率を他のアプリケーションの選出比率より大きくする
ことを特徴とするアプリケーション販促装置。
【請求項４】
請求項１から請求項３のいずれかに記載のアプリケーション販促装置において、
前記アクション特定手段は、前記紹介手段により前記第二のアプリケーションに対応する前記アプリ紹介情報が生成された際に前記アクションを特定する
ことを特徴とするアプリケーション販促装置。
【請求項５】
請求項１から請求項４のいずれかに記載のアプリケーション販促装置において、
前記アクション特定手段は、前記ユーザ端末において前記アプリ紹介情報に基づいた前記第二のアプリケーションの紹介画面が表示され、当該紹介画面に表示された前記第二のアプリケーションを選択する旨のユーザ操作が行われた際に前記アクションを特定する
ことを特徴とするアプリケーション販促装置。
【請求項６】
請求項１から請求項５のいずれかに記載のアプリケーション販促装置において、
前記アクション特定手段は、前記紹介手段により前記第二のアプリケーションに対応する前記アプリ紹介情報が生成された際に第一のアクションを特定し、前記ユーザ端末において前記アプリ紹介情報に基づいた前記第二のアプリケーションの紹介画面が表示され、当該紹介画面に表示された前記第二のアプリケーションを選択する旨のユーザ操作が行われた際に、第二のアクションを特定し、
前記ポイント変更手段は、前記第二のアクションを特定した際の前記ポイント値の増加量を、前記第一のアクションを特定した際の前記ポイント値の増加量より多くする
ことを特徴とするアプリケーション販促装置。
【請求項７】
請求項１から請求項６のいずれかに記載のアプリケーション販促装置において、
第四のアプリケーションに対する前記ポイント値の少なくとも一部を、第五のアプリケーションに対する前記ポイント値に移管する旨のポイント移管要求を取得するポイント移管要求取得手段を備え、
前記ポイント変更手段は、前記ポイント移管要求を取得すると、前記第四のアプリケーションに対する前記ポイント値を減算し、前記第五のアプリケーションに対する前記ポイント値を加算する
ことを特徴とするアプリケーション販促装置。
【請求項８】
請求項７に記載のアプリケーション販促装置において、
前記アプリ情報記憶手段には、前記アプリケーションを配信する配信元に関する配信元情報が前記ポイント値に関連付けられて記憶され、
前記第四のアプリケーション及び前記第五のアプリケーションは、同一の配信元である
ことを特徴とするアプリケーション販促装置。
【請求項９】
請求項１から請求項８のいずれかに記載のアプリケーション販促装置において、
所定のアプリケーションに対して前記ポイント値を貸与するポイント貸与手段と、
前記ポイント値が貸与された前記アプリケーションが前記第一のアプリケーションとして前記ユーザ端末で実行されて前記アクションを特定した際に、前記貸与されたポイント値を返還するポイント返還手段と、
を備えたことを特徴とするアプリケーション販促装置。
【請求項１０】
請求項１から請求項９のいずれかに記載のアプリケーション販促装置と、
前記アプリケーション販促装置に対して通信可能な前記ユーザ端末と、を備えたアプリケーション販促システムであって、
前記ユーザ端末は、
前記第一のアプリケーションを起動させた際に、前記アプリケーション販促装置から送信された前記アプリ紹介情報に基づいて前記第二のアプリケーションを紹介する紹介処理手段を備えた
ことを特徴とするアプリケーション販促システム。
【請求項１１】
請求項１０に記載のアプリケーション販促システムにおいて、
前記紹介処理手段は、前記アプリ紹介情報に基づいて前記第二のアプリケーションを紹介する紹介画面を表示させ、
前記ユーザ端末は、前記紹介画面で紹介された前記第二のアプリケーションを選択する旨のユーザ操作を受け付け、前記ユーザ操作を受け付けた旨のアクション情報を前記アプリケーション販促装置に送信するアプリ選択手段を備え、
前記アクション特定手段は、前記アクション情報に基づいて、前記アクションを特定する
ことを特徴とするアプリケーション販促システム。
【請求項１２】
コンピューターによりアプリケーションの販売促進処理を実施するアプリケーション販促方法であって、
前記コンピューターは、アプリケーションに対するポイント値を記憶するアプリ情報記憶手段を備え、
前記アプリケーション販促方法は、前記アプリケーションを紹介するアプリ紹介情報をユーザ端末に送信する紹介ステップと、
前記ユーザ端末により第一のアプリケーションが実行され、前記第一のアプリケーションにおいて前記アプリ紹介情報に基づいた第二のアプリケーションの紹介処理が実施された旨のアクションを特定するアクション特定ステップと、
第三のアプリケーションの販売促進処理を実施する旨の販促要求を取得する販促要求取得ステップと、
前記アクション特定ステップにより前記アクションが特定されると、前記ユーザ端末において実行された前記第一のアプリケーションに対応した前記ポイント値を加算するポイント付与ステップと、
前記販促要求取得ステップにより前記販促要求が取得されると、前記販促要求の対象である前記第三のアプリケーションに対応した前記ポイント値を減算するポイント消費ステップと、を実施し、
前記紹介ステップでは、前記販促要求取得ステップにおいて取得した前記販促要求に対応する前記第三のアプリケーションを紹介する前記アプリ紹介情報を優先的に前記ユーザ端末に送信する
ことを特徴とするアプリケーション販促方法。
【請求項１３】
コンピューターを、請求項１から請求項９のいずれかに記載のアプリケーション販促装置として機能させることを特徴とするアプリケーション販促プログラム。
【発明の詳細な説明】
【技術分野】
【０００１】
本発明は、アプリケーションの販売を促すアプリケーション販促装置、アプリケーション販促システム、アプリケーション販促方法、及びアプリケーション販促プログラムに関する。
【背景技術】
【０００２】
従来、コンテンツ提供事業者の配信元サーバ装置から端末装置にコンテンツを配信して、コンテンツ提供業者がコンテンツ利用料を端末装置のユーザから取得するコンテンツ配信システムが知られている（例えば、特許文献１参照）。
この特許文献１は、公式サイトサーバ装置と、端末装置と、架空ポイント配信サーバ装置とがネットワークにより通信接続されたネットワークシステムである。このシステムでは、端末装置において、無料コンテンツを取得する旨の操作が為されると、端末装置から架空ポイント配信サーバ装置に、端末装置を識別するユーザエージェントとともに、コンテンツ取得要求情報を送信する。架空ポイント配信サーバ装置は、送信されたユーザエージェントとコンテンツ取得要求情報とを受信すると、予め設定されている架空ポイントを生成し、ユーザエージェントに対応させて蓄積されている架空ポイントに加算する。また、端末装置において、架空ポイントを公式サイトポイントに交換する旨の操作が為されると、当該操作に対応した架空ポイント交換要求情報がユーザエージェントとともに公式サイトサーバ装置に送信される。そして、公式サイトサーバ装置は、送信されたユーザエージェントが記憶されていない場合、会員登録を促し、ユーザエージェントが記録されている場合、当該ユーザエージェントに対して公式サイトポイントを付与する。
【先行技術文献】
【特許文献】
【０００３】
【特許文献１】特開２００９−１４０２１１号公報
【発明の概要】
【発明が解決しようとする課題】
【０００４】
ところで、上記特許文献１に記載のシステムでは、各端末装置のユーザエージェントに対して架空ポイントを付与することでコンテンツの販売促進（販促）を図っている。しかしながら、このようなシステムでは、コンテンツの提供事業者が任意のタイミングで販促を図ることができないという課題がある。例えばアプリケーションを公開した時点や、当該アプリケーションにおいて所定の時期に販売を促進させたい場合があるが、上記のようなシステムでは、ユーザに対して効果的にアプリケーションの宣伝を行うことができない。
【０００５】
本発明は、アプリケーションの販売促進を任意のタイミングで実施可能なアプリケーション販促装置、アプリケーション販促システム、アプリケーション販促方法、及びアプリケーション販促プログラムを提供することを目的とする。
【課題を解決するための手段】
【０００６】
本発明のアプリケーション販促装置は、アプリケーションに対するポイント値を記憶するアプリ情報記憶手段と、前記アプリケーションを紹介するアプリ紹介情報をユーザ端末に送信する紹介手段と、前記ユーザ端末により第一のアプリケーションが実行され、前記第一のアプリケーションにおいて前記アプリ紹介情報に基づいた第二のアプリケーションの紹介処理が実施された旨のアクションを特定するアクション特定手段と、第三のアプリケーションの販売促進処理を実施する旨の販促要求を取得する販促要求取得手段と、前記アクションの特定により、前記ユーザ端末において実行された前記第一のアプリケーションに対応した前記ポイント値を加算し、前記販促要求の取得により、前記販促要求の対象である前記第三のアプリケーションに対応した前記ポイント値を減算するポイント変更手段と、を具備し、前記紹介手段は、前記販促要求に対応した前記第三のアプリケーションを紹介する前記アプリ紹介情報を優先的に前記ユーザ端末に送信することを特徴とする。
【発明の効果】
【０００７】
本発明では、アプリケーション毎にポイント値が付与されるので、アプリケーションの配信事業者が任意のタイミングで販促要求を行うことで、そのアプリケーションの紹介情報を優先して紹介することができ、アプリケーションの販売を促進することができる。
【図面の簡単な説明】
【０００８】
【図１】本発明に係る一実施形態のアプリケーション販促システムの概略構成を示す図。
【図２】本実施形態のサーバ装置の概略構成を示すブロック図。
【図３】本実施形態のユーザ端末の概略構成を示すブロック図。
【図４】本実施形態の配信元装置の概略構成を示すブロック図。
【図５】本実施形態におけるアプリケーションの紹介処理及びポイント付与処理を示すフローチャート。
【図６】本実施形態におけるアプリ情報の選出処理を示すフローチャート。
【図７】本実施形態における選出処理を説明するためのアプリ選出用リストの一例を示す図。
【図８】本実施形態における紹介画面の一例を示す図。
【図９】本実施形態におけるポイント確認処理を示すフローチャート。
【図１０】本実施形態における販促処理のフローチャート。
【図１１】本実施形態における移管処理のフローチャート。
【図１２】本実施形態における貸与処理のフローチャート。
【発明を実施するための形態】
【０００９】
以下、本発明に係る一実施形態について、図面に基づいて詳細に説明する。
図１は、本発明に係る一実施形態のアプリケーション販促システム（以降、アプリ販促システムと略す場合がある）の概略構成を示す図である。
［アプリ販促システムの概要］
図１に示すように、本実施形態のアプリ販促システム１は、本発明のアプリケーション販促装置であるサーバ装置１０と、ユーザ端末２０と、アプリケーションの配信元である配信事業者が管理する配信元装置３０と、アプリケーションを販売する販売サーバ装置４０とが、ネットワーク（例えばインターネット等のＷＡＮ（Wide Area Network））により通信可能に接続されている。
【００１０】
アプリ販促システム１は、ユーザ端末２０において所定のアプリケーションが実行された際に、他のアプリケーションを紹介する紹介画面を合わせて同一画面に表示させることで、他のアプリケーションの販売を促進させるシステムである。
このアプリ販促システム１では、サーバ装置１０において、ユーザ端末２０で実行された際に前記紹介画面を表示させるアプリケーションの情報を登録しておく。そして、ユーザ端末２０において前記紹介画面が表示されたり、当該紹介画面から他のアプリケーションを選択するユーザ操作が行われたりすると、サーバ装置１０は、そのアクションを特定して、ユーザ端末２０において実行されたアプリケーションに対してポイントを付与する。そして、アプリケーションを提供する配信事業者は、この付与されたポイントを消費することで、ユーザ端末２０で表示させる前記紹介画面でのアプリケーションの紹介回数を増加させ、アプリケーションがユーザにより選択される確率を上昇させることで販売促進を図っている。すなわち、個々のアプリケーションに対して付与されたポイントを用いて、そのアプリケーションを紹介する紹介画面の表示率を向上させて、アプリケーションの販促を図るものである。
以下、このようなアプリ販促システム１の各構成について、具体的に説明する。
【００１１】
［サーバ装置の構成］
図２は、サーバ装置１０の概略構成を示すブロック図である。
サーバ装置１０は、コンピューターにより構成され、本発明のアプリケーション販促装置として機能する。
このサーバ装置１０は、サーバ通信部１１と、サーバ記憶部１２と、サーバ制御部１３と、等を含んで構成されている。
サーバ通信部１１は、例えばＬＡＮ等を介してネットワークに接続されており、ユーザ端末２０、配信元装置３０、及び販売サーバ装置４０と通信する。
【００１２】
サーバ記憶部１２は、例えばメモリ、ハードディスク等により構成されたデータ記録装置である。このサーバ記憶部１２は、本発明におけるアプリ情報記憶手段として機能し、複数のアプリ情報を記憶している。また、サーバ記憶部１２には、サーバ装置１０を制御するための各種プログラムが記憶される。
【００１３】
サーバ記憶部１２に記憶されるアプリ情報は、例えば下記表１に示すように、配信事業者（配信元情報）、アプリＩＤ、アイコン、付与ポイント、貸与ポイント等の各種データが記憶される。
【００１４】
【表１】
0005855059.tif 000002
【００１５】
配信事業者は、アプリケーションを配信している配信事業者のデータである。配信事業者としては、実際の事業者の名称が記録されていてもよく、事業者を識別するための識別データ（ＩＤ）等が記録されていてもよい。
アプリＩＤは、アプリケーションを識別するための識別データであり、アプリケーションを特定するためのアプリ特定情報である。アイコンは、アプリケーションを紹介する紹介画面に表示される画像データであり、アプリ特定情報として機能させてもよい。
付与ポイントは、アプリケーション毎に設定されており、当該アプリケーションの販売促進を行う際に使用される。
貸与ポイントは、例えば、配信事業者が登録したばかりのアプリケーションに対して販売促進を行いたい場合に、サーバ装置１０から貸与されるポイントである。この貸与ポイントは、例えば配信元装置３０から貸与要求を受信した際に付与される。
販促期間は、ユーザ端末２０において、アプリケーションを紹介する紹介画面を表示させる表示率を上昇させる期間である。
表示率は、ユーザ端末２０において、アプリケーションを紹介する紹介画面を表示させる確率であり、例えば通常時を「１」として販促期間における表示倍率が記録される。
【００１６】
また、アプリ情報としては、その他、アプリケーションの属性等が含まれてもよい。アプリケーションの属性としては、例えば、ゲームであるかカメラであるか等の種別、どのようなゲームである等の詳細種別、男性向けであるか女性向けであるか等の性別属性、年齢属性、居住地域属性等が挙げられる。また、例えばユーザ属性別（例えば性別、年齢層、居住地域等）でダウンロードされた回数が記録されていてもよい。さらに、アプリケーションの内容を紹介するための紹介文や、アプリケーションの名称等が記録されていてもよい。
付与ポイントとして、ポイントの蓄積値が記録される例を示すが、ポイント付与日と、付与されたポイントとを関連付けて記録するものであってもよい。
【００１７】
サーバ制御部１３は、ＣＰＵ等の演算回路、ＲＡＭ等の記憶回路により構成され、サーバ記憶部１２等に記憶されているプログラム（ソフトウェア）をＲＡＭに展開し、ＲＡＭに展開されたプログラムとの協働で、各種処理を実行する。そして、サーバ制御部１３は、上記各種処理を実行することで、図２に示すように、アプリ情報更新手段１３１、紹介手段１３２、アクション特定手段１３３、及び要求取得手段１３４等として機能する。
【００１８】
アプリ情報更新手段１３１は、表１に示すようなアプリ情報をサーバ記憶部１２に登録（記録）する。
また、アプリ情報更新手段１３１は、本発明のポイント変更手段として機能し、ポイント付与手段１３５、ポイント消費手段１３６、ポイント移管手段１３７、ポイント貸与手段１３８、及びポイント返還手段１３９を備える。
紹介手段１３２は、サーバ記憶部１２からアプリ情報に基づいてアプリ紹介情報を生成し、サーバ通信部１１を介してユーザ端末２０に送信する。
アクション特定手段１３３は、アプリケーションに対するアクションを特定する。
要求取得手段１３４は、販促要求取得手段、及びポイント移管要求取得手段として機能し、配信元装置３０から送信された販促要求情報、移管要求情報（ポイント移管要求）、及び貸与要求情報等を取得する。
なお、各機能構成についての詳細な説明は後述する。
【００１９】
［ユーザ端末の構成］
図３は、ユーザ端末２０の概略構成を示すブロック図である。
ユーザ端末２０は、例えばスマートフォンやタブレット端末等の端末装置（コンピューター）であり、表示部２１と、入力操作部２２と、端末通信部２３と、端末記憶部２４と、端末制御部２５と、を含んで構成される。
【００２０】
表示部２１は、例えば液晶ディスプレイ等により構成され、端末制御部２５の制御の下、所定の画像を表示させる。
入力操作部２２は、表示部２１と一体に設けられたタッチパネルにより構成されており、ユーザ操作による操作信号を端末制御部２５に出力する。なお、タッチパネルの例を示すが、キーボードやマウス等の入力装置を備える構成、又は入力装置が接続可能な構成としてもよい。
端末通信部２３は、例えば携帯電話回線（例えば３Ｇ回線等）等を用いて、ネットワーク上の所定の装置と通信する。
【００２１】
端末記憶部２４は、例えばメモリ、ハードディスク等のデータ記録装置により構成されている。端末記憶部２４には、例えば、サーバ装置１０のサーバ記憶部１２にアプリ情報として登録されたアプリケーションのプログラムが記憶されている。また、端末記憶部２４には、例えば、ユーザ端末２０のユーザに関するユーザデータ（例えば、性別、年齢、居所、ユーザのアプリケーションの好み等）が記憶されていてもよい。さらに、端末記憶部２４には、その他、ユーザ端末を制御するための各種プログラム等が記憶される。
【００２２】
端末制御部２５は、ＣＰＵ（Central Processing Unit）等の演算回路、ＲＡＭ（Random Access Memory）等の記憶回路により構成され、ユーザ端末２０の各部を制御する。端末制御部２５は、端末記憶部２４等に記憶されているプログラムの中から所定のアプリケーション等のプログラム（ソフトウェア）をＲＡＭに展開し、ＲＡＭに展開されたプログラムとの協働で、各種処理を実行する。そして、図３に示すように、端末制御部２５は、上記各種処理を実行することで、紹介処理手段２５１、及びユーザデータ登録手段２５２として機能する。
【００２３】
紹介処理手段２５１は、起動情報送信手段２５３、紹介画面表示手段２５４、及びアプリ選択手段２５５を含む。
起動情報送信手段２５３は、所定のアプリケーションが起動されると、その旨を知らせる起動情報をサーバ装置１０に送信する。
紹介画面表示手段２５４は、サーバ装置１０から端末通信部２３を介して受信したアプリ紹介情報に基づき、アプリケーションを紹介する紹介画面を表示部２１に表示させる。
アプリ選択手段２５５は、本発明の紹介処理手段として機能し、ユーザの入力操作部２２の操作により紹介されたアプリケーションが選択されると、当該アプリケーションが選択された旨の選択アクション情報をサーバ装置１０に送信する。
ユーザデータ登録手段２５２は、ユーザ操作に基づいて、サーバ装置１０にアクセスし、ユーザデータを登録する。
なお、各機能構成の詳細については後述する。
【００２４】
［配信元装置の構成］
図４は、配信元装置３０の概略構成を示すブロック図である。
配信元装置３０は、アプリケーションの配信元（提供元）である配信事業者が管理するコンピューターであり、表示部３１と、入力操作部３２と、配信元通信部３３と、配信元記憶部３４と、配信元制御部３５と、を含んで構成される。
【００２５】
表示部３１は、例えば液晶ディスプレイ等により構成され、配信元制御部３５の制御の下、所定の画像を表示させる。
入力操作部３２は、例えばキーボードやマウス等の入力装置を備え、入力装置から入力された操作信号を配信元制御部３５に出力する。
配信元通信部３３は、例えばＬＡＮ等の通信手段を備え、ネットワーク上の所定の装置と通信する。
【００２６】
配信元記憶部３４は、例えばメモリ、ハードディスク等のデータ記録装置により構成されている。配信元記憶部３４には、例えば、サーバ装置１０のサーバ記憶部１２にアプリ情報として登録するアプリケーションのプログラムや、当該アプリケーションのアプリ情報等が記憶されている。また、配信元記憶部３４には、配信元装置３０を制御するための各種プログラム等が記憶される。
【００２７】
配信元制御部３５は、ＣＰＵ（Central Processing Unit）等の演算回路、ＲＡＭ（Random Access Memory）等の記憶回路により構成され、配信元装置３０の各部を制御する。配信元制御部３５は、配信元記憶部３４等に記憶されているプログラムをＲＡＭに展開し、ＲＡＭに展開されたプログラムとの協働で、各種処理を実行する。そして、図４に示すように、配信元制御部３５は、上記各種処理を実行することで、アプリ登録手段３５１、ポイント確認手段３５２、販促要求手段３５３、移管要求手段３５４、貸与要求手段３５５として機能する。
【００２８】
アプリ登録手段３５１は、サーバ装置１０にアプリ情報を送信して登録する。
ポイント確認手段３５２は、アプリケーションに対して付与されているポイントや貸与ポイントの情報を取得し、表示部３１に表示させる。
販促要求手段３５３は、サーバ装置１０にアプリ情報として登録した所定のアプリケーションの販促処理を要求する販促要求データを生成し、サーバ装置１０に送信する。
移管要求手段３５４は、サーバ装置１０にアプリ情報として複数のアプリケーションを登録している場合に、所定の第一のアプリケーションに付与されているポイントを、他の第二のアプリケーションに移管する旨の移管要求データを生成し、サーバ装置１０に送信する。
貸与要求手段３５５は、ポイントの貸与を要求する貸与要求データを生成し、サーバ装置１０に送信する。
なお、各機能構成の詳細については後述する。
【００２９】
［販売サーバ装置の構成］
販売サーバ装置４０は、具体的な構成は省略するが、アプリケーション（プログラム）やアプリ情報を蓄積するアプリケーション記憶部を有する。これらのアプリケーションは、例えば配信元装置３０から例えばネットワークを介して提供されたアプリケーションである。
そして、ユーザ端末２０から所定のアプリケーションの取得を要求するアプリ取得要求が送信されると、対応するアプリケーションをユーザ端末２０に送信する。この際、販売サーバ装置４０は、例えば、クレジットカード決済等の予め設定された課金方法により課金処理を実施する。
【００３０】
［アプリケーション販促方法］
次に、本実施形態におけるアプリケーションの販売促進処理（アプリケーション販促方法）について、図面に基づいて説明する。
【００３１】
（アプリ情報の登録）
本実施形態における販促処理では、まず、サーバ装置１０のサーバ記憶部１２に、アプリ情報を登録する必要がある。
これには、まず、配信元装置３０の入力操作部３２が操作されることで、アプリ登録手段３５１が、サーバ装置１０に対してアプリ情報を生成するためのアプリ関連情報を送信する。具体的には、アプリ登録手段３５１は、アプリ関連情報として、例えば、アプリケーションのアイコン、アプリケーションを配信する配信事業者名が含まれる。また、その他、アプリケーション名、アプリケーションの紹介文、アプリケーションの属性等が含まれてもよい。
【００３２】
サーバ装置１０は、配信元装置３０からアプリ関連情報を取得すると、当該アプリ関連情報に基づいてアプリ情報を生成し、サーバ記憶部１２に記憶する。
具体的には、サーバ装置１０のアプリ情報更新手段１３１は、アプリ関連情報のアプリケーションに対してアプリＩＤを付与してアプリ情報を生成する。また、アプリ情報更新手段１３１はアプリ関連情報の配信事業者名及びアイコンを、それぞれ、生成したアプリ情報に記録する。さらに、アプリ情報更新手段１３１は、付与ポイントの値、貸与ポイントの値、及び販促期間の初期値（例えば「０」等）を生成したアプリ情報に記録する。
【００３３】
（アプリ紹介処理及びポイント付与処理）
次に、ユーザ端末２０において、所定のアプリケーションが実行された際のアプリケーションの紹介処理及びポイント付与処理について説明する。
図５は、アプリケーションの紹介処理及びポイント付与処理を示すフローチャートである。
図５に示すように、ユーザ端末２０において、ユーザの入力操作部２２の操作に基づいて、端末制御部２５により端末記憶部２４に記録されている所定のアプリケーションが実施される（ステップＳ１０１）。なお、以降、このステップＳ１０１で起動されたアプリケーションを対象アプリケーションと称する。
また、この対象アプリケーションは、サーバ装置１０のサーバ記憶部１２にアプリ情報が記録（登録）されているアプリケーションであり、配信事業者により制作され、例えば販売サーバ装置４０や配信元装置３０からユーザ端末２０にダウンロード及びインストールされたアプリケーションである。このアプリケーションは、本発明のアプリ販促システム１を利用するために、所定のタイミングで、他のアプリケーションの紹介する紹介画面が表示されるようにプログラミングされている。上記紹介画面を表示させるタイミングとしては、例えば、アプリケーションが起動されたタイミングで、トップ画面に表示させてもよく、アプリケーションを終了させたタイミングで、エンド画面に表示させてもよい。また、当該アプリケーションにより所定のプロセスが実施されたタイミングで表示させてもよく、アプリケーションが実行されている間、例えば表示部２１の画面下部に常時表示されていてもよい。また、複数のタイミングで紹介画面を表示させてもよい。
【００３４】
ステップＳ１０１において、対象アプリケーションが起動されると、端末制御部２５は、対象アプリケーションが起動された旨を示す起動情報をサーバ装置１０に送信する（ステップＳ１０２）。この起動情報には、対象アプリケーションのアプリＩＤやアイコン等のアプリケーションを特定するアプリ特定情報、ユーザ端末２０を特定する端末ＩＤ等が含まれる。
サーバ装置１０において起動情報が受信されると（ステップＳ２０１）、紹介手段１３２は、サーバ記憶部１２に記憶されたアプリ情報から、所定数のアプリ情報を選出する（ステップＳ２０２）。
【００３５】
（アプリ情報の選出処理）
図６は、アプリ情報の選択方法の一例を示すフローチャートである。
上記ステップＳ２０２では、まず、紹介手段１３２は、サーバ記憶部１２にアプリ選出用リスト（後述）が記録されているかを判断する（ステップ２１）。
ステップＳ２１において、アプリ選出用リストが記録されていない場合（Ｎｏと判定された場合）は、紹介手段１３２は、サーバ記憶部１２に記憶されている全てのアプリ情報を読み出し（ステップＳ２２）、これらのアプリ情報を順に並べたアプリ選出リストを生成する（ステップＳ２３）。この際、ユーザ端末２０において実行されている対象アプリケーションに対応したアプリ情報は除外してもよい。
【００３６】
次に、紹介手段１３２は、販促期間が設定されたアプリ情報があるか否か、すなわち、販促処理の対象となるアプリ情報（販促対象アプリ情報）があるか否かを判断する（ステップＳ２４）。
ステップＳ２４において、Ｙｅｓと判定された場合は、当該販促期間が設定されたアプリ情報（販促対象アプリ情報）の表示率を読み出し、表示率の値に応じてアプリ選出用リストに含まれる販促対象アプリ情報の数を加増させる（ステップＳ２５）。
【００３７】
図７は、アプリ選出用リストの一例を示す図である。図７の例では、９個のアプリ情報が記録されているものとし、１回の選出処理につき３個のアプリ情報が選出されるものとする。また、アプリＩＤが「アプリ０３」であるアプリ情報は表示率が「３」であり、「アプリ０４」であるアプリ情報は表示率が「２」であるとする。
上記ステップＳ２５では、図７に示すように、アプリ選出用リスト内の「アプリ０３」のアプリ情報が３個に加増され、「アプリ０４」のアプリ情報が２個に増加される。また、これらの増加されたアプリ情報が同一の選出回で選出されないように、加増位置が選択される。例えば、図７の例では、「アプリ０３」のアプリ情報は、選出回が「１」「３」「４」の位置で選出されるように、その位置が設定され、「アプリ０４」のアプリ情報は、選出回が「２」「４」の位置で選出されるように、その位置が設定される。
なお、図７の例では、「アプリ０３」「アプリ０４」のアプリ情報の数をそれぞれ表示率と同じ３個及び２個に増加させたが、これに限定されず、アプリ情報の総数、一回の選出処理により選出されるアプリ情報の選出数等により設定される。また、ユーザ端末２０で実行された対象アプリケーション毎に選出数が設定されていてもよく、この場合、アプリ選出用リスト内における販促対象アプリ情報の増加数も、対象アプリケーション毎に設定してもよい。
【００３８】
このステップＳ２５の後、及びステップＳ２４において販促対象アプリ情報がない場合（Ｎｏと判定された場合）、紹介手段１３２は、アプリ選出用リストをサーバ記憶部１２に記憶し（ステップＳ２６）、リスト番号変数ｉを初期化（ｉ＝１）した後（ステップＳ２７）、ステップＳ２１に戻る。
【００３９】
一方、ステップＳ２１において、アプリ選出用リストが記録されている場合（Ｙｅｓと判定された場合）、紹介手段１３２は、サーバ記憶部１２に登録されたアプリ情報が更新されているか否かを判定する（ステップＳ２８）。具体的には、例えば配信元装置３０からの販促要求等により販促期間が設定されてアプリ情報の表示率が変更されたか否か、また、新たなアプリケーションに対するアプリ情報が登録されたか否かを判定する。
【００４０】
ステップＳ２８において、アプリ情報の更新がある場合（Ｙｅｓと判定された場合）、アプリ選出用リストを更新する（ステップＳ２９）。
例えば、更新により表示率が変更されたアプリ情報（販促対象アプリ情報）が生じた場合、ステップＳ２５と同様、アプリ選出用リストにおける当該販促対象アプリ情報の数を加増させる。新たなアプリ情報が記録された場合、アプリ選出用リストに当該アプリ情報を加入させる。
【００４１】
ステップＳ２８において、アプリ情報の更新がない場合（Ｎｏと判定された場合）、及びステップＳ２９の後、紹介手段１３２は、アプリ選出用リストを読み込み（ステップＳ３０）、リスト番号変数ｉから所定個数αのアプリ情報を選出する（ステップＳ３１）。
この後、リスト番号変数ｉをｉ＝ｉ＋αとし（ステップＳ３２）、リスト番号変数ｉが、アプリ選出用リストの最大行数Ｉ（図７の例では１２個）以上である否かを判定する（ステップＳ３３）。ステップＳ３３において、リスト番号変数ｉが、アプリ選出用リストの最大行数Ｉ以上である場合、アプリ選出用リストのアプリ情報の並び順を変更し、リスト番号変数ｉを初期化（ｉ＝１）する（ステップＳ３４）。変更方法としては、並び順をランダム変更してもよく、その他の方法により変更してもよい。この際、販促対象アプリ情報は、同一の選出回で選出されないように並び順を変更する。
以上のような選出方法により、販促対象アプリ情報の選出頻度が高くなり、そのアプリ紹介情報の送信頻度も高くなるので、優先的にユーザ端末２０において販促アプリ情報に対応したアプリケーションが紹介されることになる。
【００４２】
（アプリ紹介情報の送信）
図５に戻り、以上のアプリ情報の選出処理ステップＳ２０２の後、紹介手段１３２は、選出されたアプリ情報に基づいて、アプリ紹介情報を生成し、ユーザ端末２０に送信する（ステップＳ２０３）。このアプリ紹介情報には、例えばアプリ情報のアイコンが含まれる。また、その他、アプリケーションの名称、アプリケーションの紹介文や、アプリケーションの属性等をアプリ紹介情報に含ませてもよい。
【００４３】
また、アクション特定手段１３３は、ステップＳ２０３によりアプリ紹介情報が生成されると、紹介画面の表示処理を実施した旨の表示アクション（本発明の第一のアクション）を特定する（ステップＳ２０４）。
そして、アプリ情報更新手段１３１は、ステップＳ２０４で表示アクションが特定されると、ユーザ端末２０において実行された対象アプリケーションに対応するアプリ情報（対象アプリ情報）の貸与ポイントに１以上のポイント値が記録されているか否かを判定する（ステップＳ２０５）。
ステップＳ２０５において、貸与ポイントのポイント値が「０」である場合（Ｎｏと判定された場合）、ポイント付与手段１３５は、所定数のポイント値Ａを加算する（ステップＳ２０６）。
一方、このステップＳ２０５において、対象アプリケーションに対応したアプリ情報に１以上の貸与ポイントが記録されている場合、ポイント返還手段１３９は、貸与ポイントをポイント値Ａだけ減少させる（ステップＳ２０７）。
【００４４】
（紹介画面表示）
ユーザ端末２０においてアプリ紹介情報が受信されると（ステップＳ１０３）、紹介処理手段２５１は、受信したアプリ紹介情報に基づいて、アプリケーションを紹介する紹介画面を表示部２１に表示させる（ステップＳ１０４）。紹介画面の表示タイミングとしては、上述したように、対象アプリケーションによってそれぞれ異なる設定であり、例えば、アプリケーションを起動させたタイミングの場合、ステップＳ１０３によりアプリ紹介画面が受信されると、トップ画面に重畳させて、トップ画面内にアプリ紹介画面を表示させる。対象アプリケーションを終了させたタイミングの場合は、ユーザ操作により対象アプリケーションを終了する旨の操作が行われた際に、紹介画面を表示させる。
【００４５】
図８は、紹介画面の一例を示す図である。
具体的には、紹介処理手段２５１の紹介画面表示手段２５４は、各対象アプリケーションにより設定されたタイミングで、図８に示すような紹介画面５０を表示させる。
この図８に示す例は、対象アプリケーションを起動させた際のトップ画面（起動画面）が紹介画面となる例である。図８において、５１は、対象アプリケーションのメイン表示部であり、５２は、アプリ紹介情報に基づいて表示されたアプリ紹介モジュールとなる。
アプリ紹介モジュール５２には、所定数のアプリケーションを紹介する紹介部５２１が配置される。紹介部５２１は、例えば図８に示すように、アプリケーションを特定するアイコンであってもよく、その他、アプリケーション名が表示されるもの等であってもよい。また、紹介画面表示手段２５４は、アイコンやアプリケーション名を選択するとアプリケーションの属性や紹介文を表示させてもよい。
ここで、ユーザにより入力操作部２２の操作により、例えば、アプリ紹介モジュール５２がフリック操作（又はスワイプ操作）されると、紹介画面表示手段２５４は、サーバ装置１０から送信された他のアプリ紹介情報に基づいた紹介部５２１をアプリ紹介モジュール５２内に表示させる。なお、アプリ紹介モジュール５２に最初に表示される紹介部５２１としては、販促対象アプリケーションに対応していることが好ましい。
【００４６】
（アプリケーション選択処理）
そして、ユーザにより入力操作部２２の操作により、例えば、アプリ紹介モジュール５２の１つの紹介部５２１がタップ操作される等で選択されると、アプリ選択手段２５５は、アプリ紹介情報に基づいて表示された紹介部５２１が選択された旨のタップＡＰＩ情報をサーバ装置１０に送信する（ステップＳ１０５）。
【００４７】
サーバ装置１０においてタップＡＰＩ情報が受信されると、アクション特定手段１３３は選択アクション（本発明の第二のアクション）を特定する（ステップＳ２０８）。これにより、アプリ情報更新手段１３１は、対象アプリケーションに対応する対象アプリ情報の貸与ポイントに１以上のポイント値が記録されているか否かを判定する（ステップＳ２０９）。
ステップＳ２０９において、貸与ポイントのポイント値が「０」である場合（Ｎｏと判定された場合）、ポイント付与手段１３５は、所定数のポイント値Ｂを加算する（ステップＳ２１０）。この際、ポイント付与手段１３５は、ステップＳ２０７で付与した表示アクションに対するポイント値Ａよりも、ポイント値Ｂを大きくする。
一方、このステップＳ２０９において、対象アプリケーションに対応したアプリ情報に１以上の貸与ポイントが記録されている場合、ポイント返還手段１３９は、貸与ポイントをポイント値Ｂだけ減少させる（ステップＳ２１１）。
この後、サーバ装置１０は、ポイント処理済みである旨の処理結果情報をユーザ端末２０に返す（ステップＳ２１２）。
【００４８】
ユーザ端末２０は、処理結果情報を受信すると（ステップＳ１０６）、選択された紹介部５２１のアプリケーションに対応したアプリ実行処理を実施する（ステップＳ１０７）。具体的には、端末制御部２５は、選択された紹介部５２１に対応するアプリケーションが端末記憶部２４に記憶されている場合、当該アプリケーションを読み出して起動させる。また、選択された紹介部５２１に対応するアプリケーションが端末記憶部２４に記憶されていない場合、例えば配信元装置３０や販売サーバ装置４０等のアプリケーションを販売及び提供する装置に誘導する専用アプリケーション（いわゆる、ストアアプリケーション）を起動させる。
【００４９】
（ポイント確認処理）
次に、アプリケーションの配信事業者がポイントを確認するためのポイント確認処理について図面に基づいて説明する。
図９は、ポイント確認処理のフローチャートである。
アプリケーションの配信事業者が、サーバ装置１０に記憶されているアプリ情報のポイントを消費して各種サービスを受けることができ、そのために、各アプリ情報のポイントを確認することができる。
具体的には、配信元装置３０のポイント確認手段３５２は、ポイント確認を要求する確認要求情報を取得すると（ステップＳ３０１）、その確認要求情報をサーバ装置１０に送信する（ステップＳ３０２）。なお、確認要求情報には、配信元装置３０を特定する配信元ＩＤや、配信事業者名等が含まれる。
サーバ装置１０の要求取得手段１３４は、確認要求情報を受信すると（ステップＳ２３０）、サーバ記憶部１２に記憶されているアプリ情報から、確認要求情報の送信元と同一の配信事業者が記録されたアプリ情報を抽出し（ステップＳ２３１）、配信元装置３０に返す（ステップＳ２３２）。
【００５０】
配信元装置３０のポイント確認手段３５２は、アプリ情報を受信すると（ステップＳ３０３）、各アプリ情報のアプリケーション名や、当該アプリケーションに付与されている付与ポイント、貸与ポイント、販促期間、表示率等を表示部３１に表示させる（ステップＳ３０４）。これにより、アプリケーションの配信事業者は、各アプリケーションのアプリ情報に付与されているポイント数を確認できる。
【００５１】
（販促処理）
次に、販促処理について説明する。
図１０は、販促処理のフローチャートである。
配信元装置３０の販促要求手段３５３は、所定のアプリケーションの販促を実施する旨の販促要求情報を取得する（ステップＳ３０５）。
この販促要求情報には、販促対象となる販促対象アプリケーションを特定する情報（例えばアプリＩＤや、アプリケーション名、アイコン等）、販促に使用するポイント数等が含まれる。
販促要求手段３５３は、取得した販促要求情報をサーバ装置１０に送信する（ステップＳ３０６）。
【００５２】
サーバ装置１０の要求取得手段１３４は、販促要求情報を受信する（ステップＳ２３３）。この後、アプリ情報更新手段１３１は、販促要求情報に基づいて、販促対象アプリ情報を特定し、その販促対象アプリ情報を更新する（ステップＳ２３４）。
具体的には、アプリ情報更新手段１３１のポイント消費手段１３６は、販促要求情報から、販促に使用するポイント数を読み込み、当該ポイント数に対応した表示率を設定して販促対象アプリ情報の表示率に記録する。ポイント数に対応した表示率は、例えば予めテーブルデータとしてサーバ記憶部１２に記憶しておく。また、アプリ情報更新手段１３１は、販促対象アプリ情報の販促期間に予め設定された期間（例えば２ｄａｙ等）を設定する。なお、アプリ情報更新手段１３１は、販促期間が設定されると、設定された期間を初期値としてカウントダウンを開始し、カウント値が０になると、販促対象アプリ情報の表示率を１に戻す。
また、ポイント消費手段１３６は、販促に使用するポイント数に対応して、付与ポイントのポイント数を減少させる。
【００５３】
この後、アプリ情報更新手段１３１は、更新結果（設定されたアプリ情報）を配信元装置３０に送信する（ステップＳ２３５）。
配信元装置３０は、ステップＳ２３４により送信された更新結果を受信すると、その更新内容を表示部３１に表示する（ステップＳ３０７）。
【００５４】
（移管処理）
次に、移管処理について説明する。
図１１は、移管処理のフローチャートである。
配信元装置３０の移管要求手段３５４は、所定のアプリケーション（第一アプリケーション）のポイントを、同一配信事業者が提供する他のアプリケーション（第二アプリケーション）のポイントとして移管する旨の移管要求情報を取得する（ステップＳ３０８）。
この移管要求情報には、第一アプリケーション及び第二アプリケーションを特定する情報（例えばアプリＩＤや、アプリケーション名、アイコン等）、移管するポイント数等が含まれる。
移管要求手段３５４は、取得した移管要求情報をサーバ装置１０に送信する（ステップＳ３０９）。
【００５５】
サーバ装置１０の要求取得手段１３４は、移管要求情報を受信する（ステップＳ２３６）。この後、アプリ情報更新手段１３１のポイント移管手段１３７は、移管要求情報に基づいて、第一アプリケーションに対応した第一アプリ情報、及び第二アプリケーションに対応した第二アプリ情報を特定し、これらのアプリ情報を更新する（ステップＳ２３７）。
具体的には、ポイント移管手段１３７は、移管要求情報から、移管するポイント数を読み込み、第一アプリ情報の付与ポイントのポイント値を減少させ、第二アプリ情報の付与ポイントのポイント値を増加させる。
【００５６】
この後、アプリ情報更新手段１３１は、更新結果（設定されたアプリ情報）を配信元装置３０に送信する（ステップＳ２３８）。
配信元装置３０は、ステップＳ２３４により送信された更新結果を受信すると、その更新内容を表示部３１に表示する（ステップＳ３１０）。
【００５７】
（貸与処理）
次に、貸与処理について説明する。
図１２は、貸与処理のフローチャートである。
配信元装置３０の貸与要求手段３５５は、所定のアプリケーションに対してポイントを貸与されたい旨の貸与要求情報を取得する（ステップＳ３１１）。
この貸与要求情報には、貸与対象アプリケーションを特定する情報（例えばアプリＩＤや、アプリケーション名、アイコン等）等が含まれる。
貸与要求手段３５５は、取得した貸与要求情報をサーバ装置１０に送信する（ステップＳ３１２）。
【００５８】
サーバ装置１０の要求取得手段１３４は、貸与要求情報を受信する（ステップＳ２３９）。この後、アプリ情報更新手段１３１のポイント貸与手段１３８は、貸与要求情報に基づいて、貸与対象となる貸与アプリ情報を特定し、貸与アプリ情報の付与ポイント及び貸与ポイントを増加させる（ステップＳ２４０）。
具体的には、ポイント貸与手段１３８は、予め設定されたポイント値（例えば１００００）を付与ポイントに加算し、付与ポイントの加算量よりも大きいポイント値（例えば１２０００）を貸与ポイントに加算する。
【００５９】
この後、アプリ情報更新手段１３１は、更新結果（設定されたアプリ情報）を配信元装置３０に送信する（ステップＳ２４１）。
配信元装置３０は、ステップＳ２３４により送信された更新結果を受信すると、その更新内容を表示部３１に表示する（ステップＳ３１３）。
【００６０】
［本実施形態の作用効果］
本実施形態では、サーバ装置１０は、サーバ記憶部１２にアプリケーションを特定するアプリＩＤやアイコン等のアプリ特定情報と、付与ポイントとが関連付けられたアプリ情報が記録されている。
そして、ユーザ端末２０において対象アプリケーションが実施され、アクション特定手段１３３により表示アクションや選択アクションが特定されると、ポイント付与手段１３５は、対象アプリケーションに対応するアプリ情報（対象アプリ情報）の付与ポイントに所定のポイント値を加算する。
また、要求取得手段１３４により配信元装置３０からの販促要求情報を受信すると、ポイント消費手段１３６は、販促対象である販促対象アプリ情報の付与ポイントを所定ポイント値だけ減少させる。そして、アプリ情報更新手段１３１は、販促対象アプリ情報に販促期間を設定し、使用ポイントに応じた表示率を設定する。これにより、紹介手段１３２は、優先的に販促対象アプリ情報のアプリ紹介情報を送信し、ユーザ端末２０において、当該アプリ紹介情報に基づいた紹介画面が表示される確率が通常時よりも上昇する。
このようなアプリ販促システム１では、アプリケーション単位（アプリ情報単位）で付与ポイントが設定されているので、配信事業者が任意のタイミングで所望の販促対象アプリケーションに対する販促要求をすることで、そのタイミングで販促対象アプリケーションがユーザ端末２０で紹介される確率が向上する。つまり、配信事業者が所望するタイミングでアプリケーションの販促を行うことができる。例えば、新しいバージョンのアプリケーションをリリースした直後や、ゲーム等のアプリケーションにおけるイベント開始時等において、販促要求を行うことで、そのアプリケーションが紹介される紹介画面の表示率が上昇するので、ユーザによる当該アプリケーションの購入確率も上昇し、販売促進を図ることができる。
【００６１】
本実施形態では、紹介手段１３２は、サーバ記憶部１２に記録されている複数のアプリ情報をリスト化し、そのうち、リスト内に含まれる所定の販促対象アプリ情報の数を表示率に応じて加増し、同一の選出回において同一のアプリ情報が選出されないように順番を配列させたアプリ選出用リストを生成する。そして、このアプリ選出用リストの先頭から順にアプリ情報を選出してアプリ紹介情報を生成する。
このため、本実施形態では、販促対象アプリ情報が選出される選択頻度、及びアプリ紹介情報としてユーザ端末２０に送信される送信頻度が、他の販促要求が行われていないアプリ情報に比べて大きくなる。したがって、販促対象アプリ情報に対応したアプリ紹介情報に基づいた紹介画面がユーザ端末２０において頻繁に表示されることになり、上述のように販売促進を図ることができる。また、販促対象アプリ情報が多い場合であっても、その他の（販促対象ではない）アプリ情報が全く紹介されないわけではない。したがって、他のアプリケーションの紹介処理も実施できる。
【００６２】
本実施形態では、アクション特定手段１３３は、紹介手段１３２によりアプリ紹介情報が生成された際に、紹介画面の表示処理を実施した旨の表示アクションを特定し、これにより、ポイント付与手段１３５は、対象アプリ情報の付与ポイントに、所定のポイント値Ａを加算する。
つまり、ユーザ端末２０において、紹介画面が表示される際に、対象アプリ情報の付与ポイントにポイント値Ａを加算している。これにより、ユーザ端末２０において、対象アプリケーションが実行された際に、他のアプリケーションの紹介を行って当該他のアプリケーションの販売促進を図ることができる。また、アプリケーションの配信事業者は、紹介画面を表示することで、対象アプリケーションに対するポイントを取得することができ、これは、対象アプリケーションの販促や、同一配信事業者が配信する他のアプリケーションの販促に繋がる。したがって、紹介画面を表示する対象アプリケーションの制作の意欲に繋がり、本アプリ販促システム１を利用した各アプリケーションの販促を図ることができる。
【００６３】
本実施形態では、ユーザ端末２０は、紹介画面５０上の紹介部５２１（紹介アプリケーションのアイコン）がタップされると、タップＡＰＩ情報をサーバ装置１０に送信する。そして、アクション特定手段１３３は、タップＡＰＩ情報を受信すると選択アクションを特定し、ポイント付与手段１３５は、対象アプリ情報の付与ポイントに、所定のポイント値Ｂを加算する。
つまり、ユーザ端末２０において、紹介画面で紹介された紹介アプリケーションが選択された際に、対象アプリ情報の付与ポイントにポイント値Ｂを加算している。これにより、アプリケーションの配信事業者は、紹介画面５０において紹介部５２１がタップされると対象アプリケーションに対するポイントを取得することができるので、紹介画面において、より紹介部５２１が選択されやすくなるよう、紹介画面の表示構成を工夫するようになる。これにより、本アプリ販促システム１を利用した各アプリケーションの販促を図ることができる。この際、ポイント値Ｂをポイント値Ａよりも大きくしているため、上記のような効果をより促進することができる。
【００６４】
本実施形態では、要求取得手段１３４により、移管要求情報が取得されると、ポイント移管手段１３７は、第一アプリケーションの付与ポイントのポイント値を、第二アプリケーションの付与ポイントのポイント値に移管する。
これにより、配信事業者が、例えば新規に作成したアプリケーション等、付与ポイントが少ないアプリケーションにおいても、ポイントを移管することでポイントを付与することができ、アプリケーションの販売促進を図ることができる。
【００６５】
本実施形態では、要求取得手段１３４により、貸与要求情報が取得されると、ポイント貸与手段１３８は、貸与対象のアプリケーションの付与ポイント及び貸与ポイントを増加させる。そして、貸与ポイントに１以上のポイント値が記録されている場合、ポイント付与手段１３５による付与ポイントのポイント値の加増を行わず、ポイント返還手段１３９により、貸与ポイントのポイント値を減少させる。
すなわち、ポイント貸与手段１３８により、貸与対象のアプリケーションに対してポイント値を貸与し、ポイント返還手段１３９により、貸与されたポイント値を返還する。この場合、例えば配信事業者が提供するアプリケーションが１つしかない場合等、他にポイント値を移管できるアプリケーションがない場合でも、ポイント値を借りて販促処理を行うことができる。
【００６６】
［変形例］
なお、本発明は、上述した実施形態に限定されるものではなく、本発明の目的を達成できる範囲で、以下に示される変形をも含むものである。
【００６７】
［変形例１］
上述した実施形態において、販促処理やポイント移管処理を実施する際に、システム使用料として所定のポイント値が差し引く構成としてもよい。
例えば、販促処理において、要求取得手段１３４により、ポイント値「１０００」を使用する旨の販促要求情報を取得した際に、ポイント移管手段１３７は、システム使用料として「１００」を付与ポイントから差し引き、合計「１１００」のポイント値を減算する。移管処理においても同様であり、要求取得手段１３４により、第一アプリ情報の付与ポイントから第二アプリ情報の付与ポイントにポイント値「１０００」を移管する旨の移管要求情報を取得した際に、ポイント移管手段１３７は、システム使用料として「１００」を第一アプリ情報の付与ポイントから差し引き、合計「１１００」のポイント値を減算し、第二アプリの付与ポイントに「１０００」のポイント値を加算する。
【００６８】
［変形例２］
上記実施形態では、サーバ記憶部１２に記憶されるアプリ情報として、配信元装置３０から提供されるアプリケーションを例示したが、これに限定されない。例えば、サーバ装置１０の管理者がアプリケーションを提供している場合等では、当該アプリケーションのアプリ情報もサーバ記憶部１２に記憶される。このような場合でも、上記アプリ販促システム１を用いることで、サーバ装置１０側が提供するアプリケーションと、配信元装置３０側が提供するアプリケーションとが平等に紹介されることになり、配信事業者が不利になることがない。
【００６９】
また、この場合、サーバ装置１０側が提供するアプリケーションに関しては、アプリ紹介情報が送信された際に表示アクションに対するポイント付与、紹介部５２１が選択された際の選択アクションに対するポイント付与を行わず、上記変形例１にて示したようなシステム使用料をサーバ装置１０側が提供するアプリケーションのアプリ情報の付与ポイントとして加算してもよい。
また、配信元装置３０側が提供するアプリケーションに対する貸与ポイントとして、サーバ装置１０側が提供するアプリケーションの付与ポイントから貸与してもよい。この場合、貸与ポイントの返還先は、サーバ装置１０側が提供するアプリケーションのアプリ情報の付与ポイントになる。
【００７０】
［変形例３］
上記実施形態では、アプリ選出用リストにおいて、販促対象アプリ情報の数を増やすことで、販促対象アプリ情報が選出される回数を増加させ、ユーザ端末２０で表示される販促対象のアプリケーションが紹介される確率を増加させたが、これに限定されない。
例えば、販促対象アプリ情報を選出する販促用枠と、その他のアプリ情報を選出する通常枠とを予め設定しておき、紹介手段１３２は、販促用枠に選出されたアプリ情報、及び通常枠に選出されたアプリ情報のアプリ紹介情報を送信する。また、販促対象アプリ情報の数に応じて販促用枠で選出される数を増やしてもよい。
この場合、上記実施形態におけるステップＳ２３において、販促対象アプリ情報用のアプリ選出用リストと、通常アプリ情報用のアプリ選出用リストとをそれぞれ別に生成すればよい。また、表示率に応じて、例えば販促用枠を、表示率が「３」である第一枠、「２」である第二枠に分け、各枠のアプリ情報のアプリ紹介情報が送信される頻度をそれぞれ異ならしてもよい。例えば、第一枠のアプリ紹介情報は毎回送信し、第二枠のアプリ紹介情報は２回に１度の頻度で送信する等の処理をしてもよい。
このような処理により、販促対象アプリ情報がある場合、確実にそのアプリケーションを紹介するアプリ紹介情報が生成されるため、より販促効果を高めることができる。
【００７１】
［変形例４］
上記実施形態では、ステップＳ２０２において、複数のアプリ情報を選出してアプリ紹介情報をユーザ端末２０に送信した。これに対して、１つのアプリ情報を選出してアプリ紹介情報をユーザ端末２０に送信してもよい。
【００７２】
［変形例５］
上記実施形態では、アクション特定手段１３３により表示アクション及び選択アクションが特定されると、即座にポイントの付与が実施される例を示したがこれに限定されない。
例えば、各対象アプリケーションに対して表示アクション及び選択アクションが特定された回数を記憶しておき、ポイント付与手段１３５は、予め設定された時間（例えばアクセス時間が少ない午前３時等）に一括でポイントの付与処理を実施してもよい。この場合、処理負荷の軽減を図れる。
【００７３】
要求取得手段１３４により、販促要求情報や移管要求処理、貸与要求処理を受け付けた場合も同様であり、即座にポイント値を反映させる処理をしてもよく、予め設定された時間や、要求情報を取得した後、所定時間経過後にポイント値を反映させる等の処理をしてもよい。
【００７４】
［変形例６］
上記実施形態では、ステップＳ２３３において、販促要求情報に基づいて、使用ポイント数に応じて表示率のみを変更し、販促期間を予め設定された期間とする例を示したが、これに限定されない。
例えば、販促要求情報として、表示率の変更に使用する表示率変更ポイント数、販促期間の変更に使用する期間変更ポイント数がそれぞれ含まれる構成とし、アプリ情報更新手段１３１は、表示率変更ポイント数に応じて表示率を変更し、期間変更ポイント数に応じて販促期間をそれぞれ設定してもよい。
この場合、例えばゲームアプリケーションのイベント等により、１日だけ表示率を大きくしたい場合でも、無駄なポイント消費を抑えた販促処理を実施でき、配信事業者の要求に応じた最適な販促処理を実施できる。
さらに、所定回数（例えば１回）の表示（販促対象アプリケーションの紹介）について、所定ポイント（例えば１ポイント）の使用として、配信事業者の要望に応じて販促処理を行ってもよい。
例えば、配信事業者の指定した期間中に蓄積したポイントを使用するように、表示頻度を算出して、販促処理を行ってもよい。この場合、指定期間中において、上記実施形態のように販促対象アプリケーションが他のアプリケーションに比べて高い表示率で紹介され、販促対象アプリケーションが紹介される毎にポイントが消費される。すなわち、ポイント消費手段１３６は、指定期間中において、紹介手段１３２により販促対象アプリケーションが紹介される毎に、付与ポイントの値を所定ポイント減少させる。
【００７５】
［変形例７］
さらに、ステップＳ２３３において、予め設定されたテーブルデータに基づいて、使用ポイントに対する表示率を設定したが、これに限定されない。例えば、サーバ記憶部１２に記憶された全アプリ情報数に基づいて、ポイント数に応じた適切な表示率が設定できるように算出してもよい。例えば、全アプリ数が少ない場合に所定の販促対象アプリ情報の表示率を２倍に設定した場合と、全アプリ数がより多い場合に表示数を２倍に設定した場合とでは、実際にアプリケーションが紹介される確率は後者が低くなる。この場合、例えば使用するポイント数に対して、全アプリ数に基づいた所定の係数を掛けた表示率を設定することで、最適な表示率を設定することができる。
【００７６】
［変形例８］
上記実施形態では、ポイント付与手段１３５は、ステップＳ２０３により、紹介手段１３２によりアプリ紹介情報が生成された際に、対象アプリケーションにポイントを付与したが、これに限定されない。
アプリ紹介情報がユーザ端末２０に送信され、紹介画面表示手段２５４により紹介画面が表示された際に、紹介処理手段２５１が、紹介画面を表示した旨をアクション情報としてサーバ装置１０に送信する。そして、サーバ装置１０は、アクション特定手段１３３により、このアクション情報が取得されると表示アクションを特定し、ポイント付与手段１３５により対象アプリケーションの付与ポイントに所定のポイント値Ａを加算してもよい。
【００７７】
［変形例９］
販売サーバ装置４０からアプリケーションをダウンロードする例を示したが、配信元装置３０からアプリケーションをダウンロードしてもよく、サーバ装置１０にアプリケーションを記憶しておき、サーバ装置１０からアプリケーションをダウンロードしてもよい。
【００７８】
［変形例１０］
上記実施形態では、ステップＳ２０２においてアプリ情報を選出する際に、全てのアプリ情報を対象としたがこれに限定されない。例えば、ユーザ端末２０からユーザデータをサーバ装置１０に登録しておき、ユーザデータに基づいて、アプリ情報を選出してもよい。
この場合、ユーザ端末２０のユーザデータ登録手段２５２は、アプリ販促システム１の初回利用時に例えば端末記憶部２４に記憶されたユーザデータ、又は入力操作部２２から入力されたユーザデータをサーバ装置１０に送信する。このユーザデータとしては、上述したようにユーザの性別や年齢層、居住地域、好きなアプリケーションの嗜好性等が挙げられる。また、ユーザデータとして、紹介を受けたくないアプリケーションの属性を登録しておいてもよい。
サーバ装置１０は、ユーザデータの送信元であるユーザ端末２０を識別する端末ＩＤとともにこのユーザデータを、例えばサーバ記憶部１２に記憶する。そして、紹介手段１３２は、ステップＳ１４のアプリ情報を選択する処理において、まず、ユーザデータに対応したアプリケーションの属性を検出し、その属性を有するアプリ情報を選出する。その上で、選出されたアプリ情報に基づいて、例えば上記実施形態のようなアプリ選出用リストを生成して、アプリ情報を選出する。
【００７９】
［変形例１１］
上記実施形態では、サーバ装置１０において販促対象アプリ情報の選出頻度を高くすることで、ユーザ端末２０において表示される販促対象アプリケーションの紹介頻度（表示率）を向上させた。これに対して、例えば、サーバ装置１０から、販促対象アプリ情報のアプリ紹介情報（販促対象アプリ紹介情報）と、その他のアプリ情報を例えば上記実施形態と同様の選出方法により選出したアプリ紹介情報（通常アプリ紹介情報）とを送信し、ユーザ端末２０において、販促対象アプリ紹介情報を優先的に紹介する処理をしてもよい。この場合、ユーザ端末２０の紹介画面表示手段２５４は、例えば、販促対象アプリ紹介情報を表示する複数の販促用枠と、通常アプリ紹介情報を表示する複数の通常枠とを有する紹介画面を表示させる。この時、販促用枠の数を通常枠の枠より多くすることで、販促対象アプリ紹介情報の表示率が大きくなる。販促対象アプリ紹介情報の数が、販促用枠よりも少ない場合は、常時販促対象アプリ情報が表示されることになり、また、残りの販促用枠に通常アプリ紹介情報を表示させることで、通常アプリ紹介情報が紹介される確率も大きくなる。
【００８０】
［変形例１２］
上記実施形態では、アクション特定手段１３３により表示アクション、又は選択アクションを特定した際に、ポイント付与手段１３５により付与ポイントにポイント値を加算したり、ポイント返還手段１３９により貸与ポイントを減少させたりする例を示したが、これに限定されない。例えば、表示アクションを特定した際のみポイント付与やポイント返還を行ってもよく、選択アクションを特定した際のみポイント付与やポイント返還を行ってもよい。さらには、例えば、紹介画面５０において、紹介部５２１が選択され、紹介部５２１に対応したアプリケーションが配信元装置３０や販売サーバ装置４０、サーバ装置１０等からダウンロードされた際にポイント付与を行ってもよく、有料アプリケーションがダウンロードされた時にポイント付与を行ってもよい。
さらに、ポイント値Ｂをポイント値Ａよりも大きくする例を示したが、同値であってもよく、ポイント値Ｂをポイント値Ａより小さくしてもよい。
【００８１】
［変形例１３］
上記実施形態では、ポイント移管手段１３７より、同一の配信事業者が提供する第一アプリ情報と第二アプリ情報との間でのみ付与ポイントの移動が可能な構成としたが、これに限定されない。
例えば、それぞれ異なる配信事業者が提供するアプリケーション間でポイント値の移動が可能な構成としてもよい。この場合、例えば、業務提携している配信事業所の間で付与ポイントのポイント値を移動させることができ、両者のアプリケーションの販促を効率的に図ることができる。
【００８２】
その他、本発明の実施の際の具体的な構造および手順は、本発明の目的を達成できる範囲で他の構造などに適宜変更できる。
【符号の説明】
【００８３】
１…アプリ販促システム（アプリケーション販促システム）、１０…サーバ装置（アプリケーション販促装置）、１２…サーバ記憶部（アプリ情報記憶手段）、１３…サーバ制御部、２０…ユーザ端末、２１…表示部、２２…入力操作部、２５…端末制御部、３０…配信元装置、３５…配信元制御部、５０…紹介画面、５２…アプリ紹介モジュール、１３１…アプリ情報更新手段（ポイント変更手段）、１３２…紹介手段、１３３…アクション特定手段、１３４…要求取得手段（販促要求取得手段、移管要求取得手段）、１３５…ポイント付与手段、１３６…ポイント消費手段、１３７…ポイント移管手段、１３８…ポイント貸与手段、１３９…ポイント返還手段、２５１…紹介処理手段、２５２…ユーザデータ登録手段、２５３…起動情報送信手段、２５４…紹介画面表示手段、２５５…アプリ選択手段、３５１…アプリ登録手段、３５２…ポイント確認手段、３５３…販促要求手段、３５４…移管要求手段、３５５…貸与要求手段、５２１…紹介部。
【図１】
0005855059.tif 000003
【図２】
0005855059.tif 000004
【図３】
0005855059.tif 000005
【図４】
0005855059.tif 000006
【図５】
0005855059.tif 000007
【図６】
0005855059.tif 000008
【図７】
0005855059.tif 000009
【図８】
0005855059.tif 000010
【図９】
0005855059.tif 000011
【図１０】
0005855059.tif 000012
【図１１】
0005855059.tif 000013
【図１２】
0005855059.tif 000014